(57)【要約】【課題】本発明は、フレーム外へのネジの突出を防止することで、光走査装置の小型化を図ることを目的とする。【解決手段】光走査装置は、底壁を有するフレームと、フレームの底壁に沿った方向へ光を出射するレーザダイオード１１と、レーザダイオード１１から出射された光を集めるカップリングレンズと、カップリングレンズを通過した光の反射方向を変化させて走査を行う振動ミラーと、フレームの底壁からフレーム内に向けて立設され、頂部にネジ穴を有する保持部材用ボスと、ネジ穴に螺合するネジと、ネジで保持部材用ボスに固定される第１壁１５ａと、第１壁１５ａから底壁に向けて延びてレーザダイオード１１を支持する第２壁１５ｂとを有する第１保持部材１５と、を備えている。【選択図】図４
2008185722.tif 000002
【特許請求の範囲】
【請求項１】
底壁を有するフレームと、
前記フレームの底壁に沿った方向へ光束を出射する光源と、
前記光源から出射された光束を集めるカップリングレンズと、
前記カップリングレンズを通過した光束の反射方向を変化させて走査を行う偏向ミラーと、
前記偏向ミラーで走査される光束を被結像媒体に結像させる走査レンズと、
前記フレームの底壁からフレーム内に向けて立設され、頂部にネジ穴を有する基台と、
前記ネジ穴に螺合するネジと、
前記ネジで前記基台に固定される第１壁と、前記第１壁から前記底壁に向けて延びて前記光源を支持する第２壁とを有する第１保持部材と、を備えたことを特徴とする光走査装置。
【請求項２】
前記基台は、筒状のボスであることを特徴とする請求項１に記載の光走査装置。
【請求項３】
前記第１保持部材の第２壁が、前記光源から出射される光束の光軸方向において撓み変形可能に構成されていることを特徴とする請求項１または請求項２に記載の光走査装置。
【請求項４】
前記第１保持部材の第２壁は、前記底壁に沿って延びる長尺状に形成され、一端部に前記光源が取り付けられるとともに、他端部に前記第１壁が接続されることを特徴とする請求項３に記載の光走査装置。
【請求項５】
前記第１保持部材の第２壁の一端部と他端部との間に、前記光束の水平面に対して略直交する方向に延びる長孔が形成されることを特徴とする請求項４に記載の光走査装置。
【請求項６】
前記第１保持部材が、板金からなることを特徴とする請求項１〜請求項５のいずれか１項に記載の光走査装置。
【請求項７】
前記第１保持部材の第２壁を光軸方向に押圧自在な偏芯カムを備え、
前記偏芯カムが、前記底壁と直交する方向に沿った軸を中心に回動可能となっていることを特徴とする請求項３〜請求項６のいずれか１項に記載の光走査装置。
【請求項８】
前記カップリングレンズを通った光束の光束幅を規制する規制部材と、
前記カップリングレンズを保持する第２保持部材と、をさらに備え、
前記規制部材と前記第２保持部材は、互いに嵌合する嵌合部により位置決めされることを特徴とする請求項１〜請求項７のいずれか１項に記載の光走査装置。
【請求項９】
前記カップリングレンズを保持する第２保持部材をさらに備え、
前記フレームの底壁において前記第２保持部材が対向する部分には、第１開口部が形成されていることを特徴とする請求項１〜請求項７のいずれか１項に記載の光走査装置。
【請求項１０】
前記フレームの底壁において前記第１保持部材の第２壁が対向する部分には、第２開口部が形成されていることを特徴とする請求項１〜請求項９のいずれか１項に記載の光走査装置。
【発明の詳細な説明】
【技術分野】
【０００１】
本発明は、光源がホルダを介してフレームに取り付けられる光走査装置に関する。
【背景技術】
【０００２】
一般に、画像形成装置として、帯電された感光ドラムに対して光走査装置によって光ビームを走査することで、感光ドラム上に静電潜像を形成し、その静電潜像に現像剤を供給することにより形成される現像剤像を用紙に転写することで、用紙に所定の画像を形成するものが知られている。
【０００３】
このような画像形成装置に設けられる光走査装置においては、従来、光ビームを出射するレーザダイオードを支持するためのＬＤホルダを備えたものが知られている（特許文献１参照）。具体的に、このＬＤホルダは、底壁と、底壁から上方に立設される縦壁とを備え、この縦壁でレーザダイオードを保持する構造となっている。そして、このＬＤホルダは、その底壁がフレームの底壁にネジ止めされることで、フレームに対して固定されている。
【０００４】
【特許文献１】特開２００４−１６３４６３号公報
【発明の開示】
【発明が解決しようとする課題】
【０００５】
しかしながら、従来の構造においては、ＬＤホルダの底壁とフレームの底壁とをネジ止めするため、フレームの底壁からネジが突出する。そのため、フレームの底壁の下側に、ネジの長さに対応した大きさの空間を設ける必要があり、この空間が小型化において障害となっていた。
【０００６】
そこで、本発明は、フレーム外へのネジの突出を防止することで、光走査装置の小型化を図ることを目的とする。
【課題を解決するための手段】
【０００７】
前記課題を解決するため、本発明に係る光走査装置は、底壁を有するフレームと、前記フレームの底壁に沿った方向へ光束を出射する光源と、前記光源から出射された光束を集めるカップリングレンズと、前記カップリングレンズを通過した光束の反射方向を変化させて走査を行う偏向ミラーと、前記偏向ミラーで走査される光束を被結像媒体に結像させる走査レンズと、前記フレームの底壁からフレーム内に向けて立設され、頂部にネジ穴を有する基台と、前記ネジ穴に螺合するネジと、前記ネジで前記基台に固定される第１壁と、前記第１壁から前記底壁に向けて延びて前記光源を支持する第２壁とを有する第１保持部材と、を備えたことを特徴とする。
【０００８】
本発明によれば、第１保持部材の第１壁がネジ止めされる基台が、フレームの底壁からフレーム内に向けて立設されているので、フレームの底壁の下側からネジが突出するのを防止することが可能となる。そのため、従来においてフレームの底壁の下側に設けていたネジを逃げるための空間が不要となり、光走査装置の小型化を図ることができる。
【発明の効果】
【０００９】
本発明によれば、第１保持部材をネジ止めするための基台をフレームの底壁から内部に向けて立設したので、フレーム外へのネジの突出を防止することができ、光走査装置の小型化を図ることができる。
【発明を実施するための最良の形態】
【００１０】
次に、本発明の実施形態について、適宜図面を参照しながら詳細に説明する。参照する図面において、図１は本発明の一実施形態に係る光走査装置を示す斜視図であり、図２は光走査装置の各構成部品と光のルートを示す概略図である。最初に、図１および図２を参照して光走査装置１の全体構造について簡単に説明する。
【００１１】
［光走査装置１］
図１に示すように、光走査装置１は、光源ユニット１０と、第１ミラーＭ１と、振動ミラーユニット２０と、走査光学系レンズとしての第１走査レンズ３０と、第２走査レンズＬと、第２ミラーＭ２と、これらを支持するフレーム４０と、フレーム４０の下側に配設される第３ミラーＭ３（図２参照）とを主に備えて構成されている。
【００１２】
［光源ユニット１０］
図２に示すように、光源ユニット１０は、光源の一例としてのレーザダイオード１１と、レーザダイオード１１から出射された光束を集めるカップリングレンズ１２とを備えている。また、光源ユニット１０は、カップリングレンズ１２を通った光束の光束幅を規制する規制部材の一例としての絞り部材１３と、絞り部材１３で絞られる光束を一方向に集束させるシリンドリカルレンズ１４とを備えている。そして、レーザダイオード１１から出射されたレーザビーム（光束）は、カップリングレンズ１２、絞り部材１３およびシリンドリカルレンズ１４を通った後、第１ミラーＭ１で反射され、振動ミラーユニット２０に向かって照射される。
【００１３】
［振動ミラーユニット２０］
振動ミラーユニット２０は、その内部に、所定範囲で回転振動することで、第１ミラーＭ１側から出射されてくる光束の反射方向を変化させて走査を行う偏向ミラーの一例としての振動ミラー２１を備えて構成されている。そして、この振動ミラー２１で反射された光は、第１走査レンズ３０および第２走査レンズＬを通った後、第２ミラーＭ２および第３ミラーＭ３で反射されて、光走査装置１外へ出射される。なお、光走査装置１外へ出射された光束は、被結像媒体に結像される。例えば、光走査装置１外へ出射された光束は、複写機やレーザプリンタ等の画像形成装置内の感光体（感光ドラム等）に投射されることで、感光体上の静電潜像の形成に寄与する。
【００１４】
次に、光源ユニット１０の取付構造の詳細について説明する。参照する図面において、図３は光源ユニットの取付構造を示す斜視図であり、図４は第１保持部材と偏芯カムを示す斜視図である。また、図５は第３保持部材を示す斜視図であり、図６はフレームに形成した各開口部を示す平面図である。なお、以下の説明における前後、左右、上下の方向については、図１に示す方向を基準とする。
【００１５】
［フレーム４０の詳細］
図１に示すように、フレーム４０は、底壁４１と外周壁４２とを主に備えたトレー状に形成されている。そして、フレーム４０のうち光源ユニット１０が配置される部分には、図３に示すように、仕切壁４３、保持部材用ボス４４、カム用ボス４５および位置決め用突起４６が主に形成されている。
【００１６】
仕切壁４３は、前壁４３ａ、左壁４３ｂおよび右壁４３ｃを主に備えており、これらの各壁４３ａ〜４３ｃで、光源ユニット１０（詳しくは、後述する第１保持部材１５の第１壁１５ａ）の一部を囲っている。そして、前壁４３ａの適所には、後方へ突出する位置決め用リブ４３ｄが上下方向に沿って形成されている。なお、この位置決め用リブ４３ｄの上縁は、テーパ状に形成されている。
【００１７】
保持部材用ボス４４は、仕切壁４３の内側の底壁４１から上方へ向かって立設される筒状のボスであり、その内面が、ネジＮ（図１参照）を螺合するためのネジ穴４４ａとなっている。また、保持部材用ボス４４は、合計３本設けられており、これらの３本全てが一直線上に並ばないように配置されることで、後述する第１保持部材１５を３点支持している。なお、ネジ穴４４ａとしては、ネジ溝が予め形成された穴であってもよいし、ネジＮの捩じ込みと同時にネジＮによりネジ溝が切られるような穴であってもよい。
【００１８】
カム用ボス４５は、保持部材用ボス４４よりも低めに形成される筒状のボスであり、その内面が、後述する偏芯カム５０を取り付けるためのネジ穴４５ａとなっている。そして、このカム用ボス４５は、３本の保持部材用ボス４４よりも後方へ配置されている。
【００１９】
位置決め用突起４６は、仕切壁４３の内側の底壁４１から上方へ向かって立設される円柱状の突起であり、その下側が大径部４６ａとして形成され、その上側が大径部４６ａよりも小径となる小径部４６ｂとして形成されている。そして、大径部４６ａの高さは、各保持部材用ボス４４よりも低くなっている。
【００２０】
また、フレーム４０の底壁４１には、上下に貫通する第１開口部４１ａおよび第２開口部４１ｂ（図６参照）が形成される。なお、第１開口部４１ａおよび第２開口部４１ｂの詳細については、後述することとする。
【００２１】
［光源ユニット１０の詳細］
図４，５に示すように、光源ユニット１０は、レーザダイオード１１を保持する第１保持部材１５と、カップリングレンズ１２を保持する第２保持部材１６と、第２保持部材１６と絞り部材１３を支持する第３保持部材１７とを備えている。なお、光源ユニット１０の構成部品であるシリンドリカルレンズ１４は、フレーム４０の適所に固定される。
【００２２】
図４に示すように、第１保持部材１５は、板金からなり、略水平に配置される第１壁１５ａと、第１壁１５ａから下方へ延びる第２壁１５ｂとを備えて構成されている。
【００２３】
第１壁１５ａは、その適所に、フレーム４０の保持部材用ボス４４のネジ穴４４ａと合致する３つの貫通孔１５ｃを有するとともに、フレーム４０の位置決め用突起４６の小径部４６ｂと嵌合する嵌合孔１５ｄを有している。また、第１壁１５ａの前端縁の右側には、フレーム４０の仕切壁４３に形成された位置決め用リブ４３ｄと係合する係合溝１５ｅが形成されている。そして、このように構成される第１壁１５ａは、図１に示すネジＮによってフレーム４０の保持部材用ボス４４に固定される。
【００２４】
第２壁１５ｂは、フレーム４０の底壁４１に沿って前後に延びる長尺状の壁であり、その前端が第１壁１５ａの左端縁の前側に接続されるとともに、その他端にレーザダイオード１１が取り付けられている。ここで、レーザダイオード１１は、出射する光束の光軸が第２壁１５ｂと略垂直となり、かつ、出射する光束がフレーム４０の底壁４１に沿うような向きで配置される。そのため、第２壁１５ｂは、レーザダイオード１１から出射される光束の光軸方向において撓み変形可能に構成される。
【００２５】
第２壁１５ｂの略中央部には、上下方向（レーザダイオード１１から出射された光束の水平面に対して略直交する方向であり、若干上下方向から傾いている）に沿った長孔１５ｆが形成されるとともに、この長孔１５ｆの上方および下方の端縁に切り欠き部１５ｇが形成されている。また、この長孔１５ｆとレーザダイオード１１との間には、所定の貫通孔１５ｈが形成されている。貫通孔１５ｈは、レーザダイオード１１に付随する回路を載せた電子基板（図示せず）をホルダ１５に固定するためのネジ穴である。
【００２６】
さらに、第２壁１５ｂには、その後端に右方へ延びて偏芯カム５０と係合する係合片１５ｉが形成されるとともに、その前端に第１壁１５ａの前側の貫通孔１５ｃの上方まで回り込む屈曲アーム１５ｊが形成されている。そして、この屈曲アーム１５ｊの先端部には、第１壁１５ａの貫通孔１５ｃの径と略同じ幅で形成される長孔１５ｋが形成されている。そのため、屈曲アーム１５ｊが第１壁１５ａとともにフレーム４０に固定され、これにより、第２壁１５ｂの長孔１５ｆよりも前側部分の剛性が上がるので、長孔１５ｆ付近を積極的に撓ませることができる。
【００２７】
偏芯カム５０は、その回動中心からの距離が徐々に変化するように形成されるカム面５１を有している。偏芯カム５０は、上下方向に沿って配設されるネジ５２に対して回動自在となっており、これにより、フレーム４０の底壁４１と略直交する方向に沿った軸を中心に回動可能となっている。そして、偏芯カム５０は、ネジ５２の雄ネジ部５３をフレーム４０のカム用ボス４５に捩じ込むことによって、ネジ５２の頭でカム用ボス４５に固定される。
【００２８】
このように構成される偏芯カム５０は、ネジ５２がカム用ボス４５に対して仮止め状態であるときに、回動自在となっている。そして、このような回動自在な状態においては、偏芯カム５０のカム面５１を第１保持部材１５の係合片１５ｉに係合させ、適宜偏芯カム５０をネジ５２を中心に所定方向へ回動させることで、係合片１５ｉを介して第２壁１５ｂの後端側が光軸方向に押圧されて左方へ移動するようになっている。また、所定方向とは逆方向に偏芯カム５０を回動させることで、第２壁１５ｂの後端側が弾性変形により右方へ移動するようになっている。
【００２９】
図５に示すように、第２保持部材１６は、上下方向に延びた矩形の板状に形成される本体部１６ａと、本体部１６ａの上部の前後端から前方および後方へ突出する一対の突出部１６ｂ（１つのみ図示）とによって、略Ｔ字状に形成されている。そして、この第２保持部材１６の本体部１６ａには、その下部にカップリングレンズ１２を取り付けるための取付孔１６ｃが形成されるとともに、その下端に絞り部材１３の下端に形成される位置決め片１３ｄと嵌合する嵌合溝１６ｄが形成されている。また、本体部１６ａの下側後方の角部には、左右に貫通する貫通孔１６ｅが形成されている。
【００３０】
絞り部材１３は、上下方向に延びた略矩形の薄板状に形成される本体部１３ａと、本体部１３ａの上部の前後端から前方および後方へ突出する一対の突出部１３ｂとによって、略Ｔ字状に形成されている。そして、この絞り部材１３の本体部１３ａには、その下部に光束の光束幅を規制するためのスリット１３ｃが形成されるとともに、その下端に右方へ延びる位置決め片１３ｄが形成されている。具体的に、この位置決め片１３ｄは、本体部１３ａの下端から右方の所定位置まで徐々に幅狭となるように形成され、所定位置以降は同一の幅で延びるように形成される。そして、この同一の幅に形成される部分が、第２保持部材１６の嵌合溝１６ｄに嵌合されることで、絞り部材１３と第２保持部材１６の前後方向の位置決めがなされるようになっている。
【００３１】
第３保持部材１７は、板金からなり、略水平に配置される上壁１７ａと、上壁１７ａから下方へ延びて前記した絞り部材１３および第２保持部材１６を支持する一対の支持壁１７ｂとを備えて構成されている。
【００３２】
上壁１７ａには、第１保持部材１５の第１壁１５ａに形成された３つの貫通孔１５ｃのうちの２つと合致する貫通孔１７ｃと、フレーム４０の位置決め用突起４６の小径部４６ｂと嵌合する嵌合孔１７ｄと、フレーム４０の仕切壁４３に形成された位置決め用リブ４３ｄと係合する係合溝１７ｅとが形成されている。
【００３３】
支持壁１７ｂには、絞り部材１３の突出部１３ｂが嵌合される嵌合溝１７ｆと、第２保持部材１６の突出部１６ｂが載置される突出部１６ｂよりも幅広の係合溝１７ｇとが形成されている。そのため、絞り部材１３は、支持壁１７ｂに対して固定されるが、第２保持部材１６は、左右方向（光軸方向）に移動自在となり、その左右方向の位置調整が可能となっている。
【００３４】
以上のように構成される第３保持部材１７は、図１に示すように、第１保持部材１５の上から被せられるように取り付けられる。そして、このように第３保持部材１７が第１保持部材１５上に取り付けられると、図６に示すように、第２保持部材１６で支持されたカップリングレンズ１２がレーザダイオード１１の光軸上に配置される。なお、絞り部材１３の図示は省略しているが、この絞り部材１３も同様にレーザダイオード１１の光軸上に配置される。
【００３５】
また、このように第１保持部材１５および第３保持部材１７をフレーム４０に取り付けた際には、第２保持部材１６がフレーム４０の底壁４１に形成された第１開口部４１ａと対向し、第１保持部材１５の第２壁１５ｂ（詳しくはレーザダイオード１１を保持してる部位）が第２開口部４１ｂと対向するようになっている。そのため、第１保持部材１５および第３保持部材１７をフレーム４０に組み付けた後であっても、第２保持部材１６で支持するカップリングレンズ１２と、第１保持部材１５で支持するレーザダイオード１１とが各開口部４１ａ，４１ｂから外部へ臨んでいる。
【００３６】
以上によれば、本実施形態において以下のような効果を得ることができる。
第１保持部材１５をネジ止めするための基台として、フレーム４０の底壁４１から内部に向けて保持部材用ボス４４を立設したので、フレーム４０外へのネジの突出を防止することができ、光走査装置１の小型化を図ることができる。
【００３７】
第１保持部材１５の第２壁１５ｂが、光軸方向において撓み変形可能に構成されているので、レーザダイオード１１を光軸方向において位置調整することができる。また、第２壁１５ｂがフレーム４０の底壁４１に沿って延びる長尺状に形成されるとともに、第２壁１５ｂの略中央部に上下方向に沿った長孔１５ｆと切り欠き部１５ｇが形成されるので、第２壁１５ｂが撓みやすくなり、レーザダイオード１１の位置調整が容易となる。
【００３８】
第２壁１５ｂを押圧する偏芯カム５０が、フレーム４０の底壁４１と直交する方向に沿った軸を中心に回動可能となっているので、上方から治具や手をフレーム４０内に差し込んでレーザダイオード１１の位置調整を行うことが可能となる。そのため、例えばフレームの横側の開口部から治具等を差し込んで位置調整を行う構造に比べ、レーザダイオード１１の位置調整を簡単に行うことができる。
【００３９】
また、偏芯カム５０で第２壁１５ｂの端部を押圧することでレーザダイオード１１を位置調整するので、レーザダイオード１１が光軸以外の方向にずれにくくなり、その位置調整が正確になる。ちなみに、レーザダイオードを固定した板とフレームの壁とに貫通するようにネジを捩じ込み、壁に対して板をネジと一体に進退させてレーザダイオードの位置調整を行う従来の構造では、板がネジの回転の影響を受けて変形すると、レーザダイオードが光軸以外の方向にずれる可能性がある。
【００４０】
また、従来のようなフレームの横側の開口部からドライバー等を差し込んで位置調整を行う構造では、フレームの側壁の近傍にレーザダイオードを配置する必要があるが、本実施形態のような上からレーザダイオードの位置調整ができる構造では、レーザダイオードをフレームの任意の位置に設けることができる。
【００４１】
第１保持部材１５が板金からなるので、例えば樹脂性のものに比べ、その製造が容易となる。
絞り部材１３と第２保持部材１６とが互いに嵌合する位置決め片１３ｄおよび嵌合溝１６ｄにより位置決めされるので、フレーム４０を介さずに、カップリングレンズ１２とスリット１３ｃの位置決めが可能となり、カップリングレンズ１２とスリット１３ｃとの光軸中心に対するずれを抑制することができる。
【００４２】
カップリングレンズ１２を保持する第２保持部材１６がフレーム４０の底壁４１に形成された第１開口部４１ａと対向するので、光走査装置１の組立完了後であっても、第１開口部４１ａからカップリングレンズ１２の位置調整を容易に行うことができる。また、このようにカップリングレンズ１２の位置調整が容易となることで、カップリングレンズ１２等の光学素子や各構成部品の形状の自由度が増すので、光学性能を落とさずに、光走査装置１の小型化が可能となる。
【００４３】
レーザダイオード１１を保持する第１保持部材１５の第２壁１５ｂがフレーム４０の底壁４１に形成された第２開口部４１ｂと対向するので、光走査装置１の組立完了後であっても、第２開口部４１ｂからレーザダイオード１１の位置調整を容易に行うことができる。また、このようにレーザダイオード１１の位置調整が容易となることで、カップリングレンズ１２等の光学素子や各構成部品の形状の自由度が増すので、光学性能を落とさずに、光走査装置１の小型化が可能となる。
【００４４】
なお、本発明は前記実施形態に限定されることなく、以下に例示するように様々な形態で利用できる。
前記実施形態では、基台として３本の筒状の保持部材用ボス４４を採用したが、本発明はこれに限定されず、例えばフレームの底壁から上方に膨出し、その頂部に複数のネジ穴が形成された膨出部などを採用してもよい。
【００４５】
前記実施形態では、偏向ミラーとして振動ミラー２１を採用したが、本発明はこれに限定されず、例えばポリゴンミラーなどを採用してもよい。
前記実施形態では、第２壁１５ｂを第１壁１５ａから下方へ折り曲げた後、底壁４１に沿うような長尺状としたが、本発明はこれに限定されず、第２壁を第１壁からそのまま下方へ折り曲げただけの形状にしてもよい。
【００４６】
前記実施形態では、第１保持部材１５や第３保持部材１７を板金で形成したが、本発明はこれに限定されず、例えば樹脂などで形成してもよい。
前記実施形態では、絞り部材１３に位置決め片１３ｄを設け、第２保持部材１６に嵌合溝１６ｄを設けたが、本発明はこれに限定されず、この位置決め片と嵌合溝の関係が逆であってもよい。また、嵌合構造としては、ピンと穴とを嵌合させる構造や櫛歯状のものを噛み合わせた構造などを採用してもよい。
【図面の簡単な説明】
【００４７】
【図１】本発明の一実施形態に係る光走査装置を示す斜視図である。
【図２】光走査装置の各構成部品と光のルートを示す概略図である。
【図３】光源ユニットの取付構造を示す斜視図である。
【図４】第１保持部材と偏芯カムを示す斜視図である。
【図５】第３保持部材を示す斜視図である。
【図６】フレームに形成した各開口部を示す平面図である。
【符号の説明】
【００４８】
１      光走査装置
１０    光源ユニット
１１    レーザダイオード
１２    カップリングレンズ
１３    絞り部材
１３ｃ  スリット
１３ｄ  位置決め片
１５    第１保持部材
１５ａ  第１壁
１５ｂ  第２壁
１５ｆ  長孔
１５ｇ  切り欠き部
１５ｉ  係合片
１６    第２保持部材
１６ｄ  嵌合溝
４０    フレーム
４１    底壁
４１ａ  第１開口部
４１ｂ  第２開口部
４４    保持部材用ボス
４４ａ  ネジ穴
４５    カム用ボス
４５ａ  ネジ穴
５０    偏芯カム
Ｎ      ネジ
【図１】
2008185722.tif 000003
【図２】
2008185722.tif 000004
【図３】
2008185722.tif 000005
【図４】
2008185722.tif 000006
【図５】
2008185722.tif 000007
【図６】
2008185722.tif 000008